(57)【特許請求の範囲】
【請求項１】
掃除機本体の下部に設けたストッパと、掃除機本体に左右軸心回りに回転可能に連結された床ノズルに支持させたペダルに連設され、前記ストッパを受け止めて掃除機本体を直立状態に保持する爪とを有するスタンド固定機構を備えた電気掃除機において、
前記ストッパは、当接面が形成され、前記爪は、前記ストッパの当接面を受け止める受面が形成され、前記ストッパの当接面と前記爪の受面との一方又は両方が、前記掃除機本体を直立状態から後方に傾斜させた時に、前記爪に作用させる力に前記爪を前記掃除機本体から離隔する方向の成分を生じさせるような傾斜面で構成され、前記掃除機本体を直立状態から後方に傾斜させた時に、前記爪と前記ストッパとの係合が解除されるようにしたことを特徴とする電気掃除機。
【請求項２】
前記ペダルの操作により前記ストッパから爪を離脱させ、掃除機本体を後方に９０°よりも小さい所定の角度寝かせた時に、前記爪に係合される第２のストッパを掃除機本体下部の一側面に突設したことを特徴とする請求項１に記載の電気掃除機。
【発明の詳細な説明】
【０００１】
【産業上の利用分野】
本発明は、いわゆる、アップライト型の電気掃除機に係り、掃除機本体を直立状態に保持するスタンド固定機構の破損を防止できるようにした電気掃除機に関するものである。
【０００２】
【従来の技術】
いわゆる、アップライト型電気掃除機では、床面に沿って移動させる床ノズルに掃除機本体の下部が左右軸心回りに回転可能に支持され、不使用時に掃除機本体を直立状態に保持するスタンド固定機構が設けられる。
【０００３】
このスタンド固定機構としては、例えば実開平４−６８７４８号公報に開示されているように、掃除機本体の下部に設けたストッパと、床ノズルに支持させたペダルに連設され、前記ストッパを受け止めて掃除機本体を直立状態に保持する爪とを備えるものが知られている。
【０００４】
このスタンド固定機構を備える電気掃除機は、ベダルを踏むことにより爪をストッパから離脱させ、掃除機本体を後方に傾斜させて使用され、又、ベットの下側などでは、掃除機本体を水平に寝かせて使用される。
【０００５】
【発明が解決しようとする課題】
しかし、使用者の中にはベダルを踏まずに床ノズルを足で押さえてむりやり掃除機本体を後傾させたり、このようなペダルがあることを知らずに床ノズルを足で押さえてむりやり掃除機本体を後傾させる人がいたりする。そして、このようにむりやり掃除機本体を後傾させた場合にペダル支持部が塑性変形したり、破損したりしてスタンド固定機構の機能が失われることがある。
【０００６】
本発明は、上記の事情を考慮して掃除機本体を直立状態に保持するスタンド固定機構の破損を防止できるようにした電気掃除機を提供することを目的とするものである。
【０００７】
【課題を解決するための手段】
本発明は、掃除機本体の下部に設けたストッパと、掃除機本体に左右軸心回りに回転可能に連結された床ノズルに支持させたペダルに連設され、前記ストッパを受け止めて掃除機本体を直立状態に保持する爪とを有するスタンド固定機構を備えた電気掃除機を前提として、上記の目的を達成するため、次のような手段を講じている。
【０００８】
即ち、前記ストッパは、当接面が形成され、前記爪は、前記ストッパの当接面を受け止める受面が形成され、前記ストッパの当接面と前記爪の受面との一方又は両方が、前記掃除機本体を直立状態から後方に傾斜させた時に、前記爪に作用させる力に前記爪を前記掃除機本体から離隔する方向の成分を生じさせるような傾斜面で構成され、前記掃除機本体を直立状態から後方に傾斜させた時に、前記爪と前記ストッパとの係合が解除されるようにしたことを特徴とする。
【０００９】
【作用】
本発明によれば、むりやり掃除機本体を後傾させた場合には、傾斜させたストッパの当接面と爪の受面との一方又は両方が案内となって、爪に掃除機本体から離隔する方向に滑らせる力が作用する。この力によって爪及びペダルを支持している床ノズルが掃除機本体から離隔する方向に変形し、爪とストッパとの係合が解除され易くなる。その結果、従来よりも弱い力で爪がストッパを乗り越えて、爪とストッパとの係合が解除され、掃除機本体を更に後傾させることができるようになるので、ペダルを支持している床ノズルの部分、即ち、ペダル支持部に作用する力が小さくなり、ペダル支持部が塑性変形したり、破損したりすることが防止される。
【００１０】
【実施例】
本発明の一実施例に係る電気掃除機を図面に基づいて具体的に説明すれば、以下の通りである。
【００１１】
図１の側面図に示すように、この電気掃除機は送風機及び集塵部を内蔵した掃除機本体１の下部に床ノズル２が紙面に直角の左右軸心回りに回転可能に支持され、使用時には掃除機本体１の上部に差し込まれるハンドル３を持って掃除機本体１を後方に傾斜させ、床ノズル２のボトムプレート４に回転可能に支持させた左右１対の前輪５と掃除機本体１の本体ケースリアー６の後下部に回転可能に支持させた左右１対の後輪７とを床面に転接させて移動させるようにしている。
【００１２】
又、不使用時には掃除機本体１及びハンドル３をスタンド固定機構１０によって床面に対してほぼ直角に起立する直立状態に保持するようにしている。
【００１３】
図２の底面図に示すように、上記床ノズル２は平面視において後側が開かれた溝型に形成され、その前部内に吸込口８が設けられる。この吸込口８は下方に開口され、この吸込口８内に回転可能に収納した回転ブラシ９がその開口の下方の床面を掃くようにしてある。
【００１４】
前記スタンド固定機構１０は掃除機本体１の左側下部と床ノズル２の左側部とにわたって設けられ、図３の背面図及び図４の側面図に示すように、本体ケースリアー６の左側下部に設けた第１ストッパ１１と、第２ストッパ１２と、床ノズル２の左側部に左右軸心回りに回転可能に支持させたペダル１３と、このペダル１３の基部から上方に突出させた爪１４とを備えている。
【００１５】
図４及び図５の各側面図に示すように、本体ケースリアー６の左側下部には、側面視において掃除機本体１の回転軸心１５を中心とする半円盤状の突出部１６が形成され、この突出部１６の周面から第１ストッパ１１と第２ストッパ１２とが径方向に突出するように形成される。
【００１６】
前記第１ストッパ１１は掃除機本体１を垂直に起立させた時に突出部１６の周面の斜め後下方で回転軸心１５よりも少し低い位置に配置され、図６に示すように、前記突出部１６の左端面よりも更に左側に突出するように形成される。
【００１７】
そして、この第１ストッパ１１は、掃除機本体１を垂直に起立させた時に側面から見れば図５に示すように後方で水平よりも少し下がり、背面から見れば図６に示すように水平に対して左側で上がる傾斜面からなる第１当接面１７を備えている。
【００１８】
前記第２ストッパ１２は掃除機本体１を垂直に起立させた時に突出部１６の周面の斜め後上方に位置し、側面から見れば第１ストッパ１１の当接面１７を回転軸心１５を中心にして９０°よりも小さい角度、例えば約７５°回転させた位置に、回転軸心１５に平行な第２当接面１８を備えている。
【００１９】
図２に示すように、上記ペダル１３は、床ノズル２の左後部に固定されたペダルホルダー１９にピン２０を介して回転可能に支持され、スプリング２１によって後端部が跳ね上げられる方向に付勢されている。そして、このペダル１３は、前記爪１４が突出部１６の周面に受け止められることにより、後端部がほぼ水平に跳ね上げられた位置に保持される。
【００２０】
前記爪１４は、図７ないし図１１に示すように、ピン２０が挿通されるピン孔２２よりも少し後方でベダル１３の右側部から上方に連出され、その上端部に第１ストッパ１１の当接面１７を受け止める第１受面２３と、第２ストッパ１２の当接面１８を受け止める第２受面２４とが形成される。
【００２１】
この実施例で、第１ストッパ１１の当接面１７が掃除機本体１を垂直に起立させた時に左側から見れば後方で水平よりも少し下がり、背面から見れば水平に対して左側で上がる傾斜面に形成してあるので、ペダル１３の後端が水平に跳ね上げられた状態で側面から見て後方で水平よりも少し下がり、背面から見れば水平な共通平面で第１受面２３と第２受面２４とを構成することも可能である。
【００２２】
しかし、この実施例では、スタンド固定機構１０の耐久性を高めるために、第１受面２３を第１当接面１７に対応させて、ペダル１３の後端が水平に跳ね上げられた状態で側面から見て後方で水平よりも少し下がり、背面から見れば左側で水平よりも上がる傾斜面で構成し、第２受面２４をこの第１当接面１７の一部分（ここでは、右前部分）を段落ち状に低くして、ペダル１３の後端が水平に跳ね上げられた状態で側面から見て後方で水平よりも少し下がり、背面から見れば水平な平面で構成している。
【００２３】
この電気掃除機はハンドル３を持って掃除機本体１を後方に傾斜させることにより、後輪７を床面に転接させた状態で使用され、使用時には爪１４が突出部１６の周面の第１ストッパ１１と第２ストッパ１２との間に受け止められる。
【００２４】
この後方に傾斜させた掃除機本体１を図１に示すように垂直に起立させると、爪１４が第２ストッパ１２と第１ストッパ１１との間の突出部１６の周面から第１ストッパ１１を乗り越え、図４及び図１２の原理図に示すように、第１ストッパ１１の第１当接面１７を受け止めて掃除機本体１を垂直に起立した状態に保持するようになる。
【００２５】
つまり、この電気掃除機では、掃除機本体１及びハンドル３の重量は、掃除機本体１を後方に傾斜させるように作用するように設計してあり、これら掃除機本体１及びハンドル３の重量は第１ストッパ１１から爪１４に下向きの力として作用するようになっている。
【００２６】
しかし、第１当接面１７及び第１受面２３が側面から見て後方で水平よりも少し下がっているので、この下向きの力はこれら第１当接面１７及び第１受面２３に沿う成分と、第１当接面１７及び第１受面２３に直角な成分とに分けて考えることができる。そして、第１当接面１７及び第１受面２３に沿う成分がペダル１３の後端を上昇させ、爪１４を突出部１６の周面に押圧する方向に作用するので、爪１４が第１ストッパ１１から後方に離脱することが防止される。
【００２７】
その結果、一旦、爪１４の第１受面２３に第１ストッパ１１の第１当接面１７を受け止めさせた後は、ペダル１３を踏み下げて爪１４を第１ストッパ１１の後方に離脱させるか、床ノズル２を足で押さえながら無理やり掃除機本体１を後方に傾斜させない限り掃除機本体１は直立状態に保持される。
【００２８】
床ノズル２を足で押さえながら無理にこの直立した掃除機本体１を後方に傾斜させようとすると、第１ストッパ１１から爪１４に下向きの力が作用する。
【００２９】
しかし、図６及び図１２に示すように、第１当接面１７が掃除機本体１を垂直に起立させた時に背面から見て左上がりの傾斜面に形成され、又、第１受面２３がこの第１当接面１７に対応してペダル１３の後端が水平に跳ね上げられた状態で背面から見れば左側で水平よりも上がる傾斜面で構成されているので、図１２に示すように、第１ストッパ１１から爪１４に作用する下向きの力を第１当接面１７及び第１受面２３の左右方向の傾斜に沿う方向の成分（分力）ｆと、第１当接面１７及び第１受面２３に直角な成分とに分けて考えることができ、この第１当接面１７及び第１受面２３の左右方向の傾斜に沿う方向の分力ｆによって、爪１４が、従ってペダル１３が反面から見て斜め左上方に押されることになる。
【００３０】
その結果、図１３に示すように、床ノズル２の左側後部が斜め左上方に弾性変形し、爪１４が第１ストッパ１１から離脱し易くなり、比較的弱い力で爪１４を第１ストッパ１１から離脱させることができるようになり、ペダル１３を支持するピン２１、ベダルホルダー１９及び床ノズル２の左側後部に作用する力が弱くなり、これらペダル支持部が塑性変形したり、破損したりすることが防止できるようになるのである。
【００３１】
特に、この実施例では、ペダルホルダー１９が床ノズル２に下側からねじ込まれるビスで固定されているので、ペダルホルダー１９に下向きの力が作用するとビス孔が変形したり、破損してペダルホルダー１９が床ノズル２から外れ易い構造になっているが、ペダルホルダー１９には斜め左上方に向く力が作用するので、ペダルホルダー１９を固定するビスが螺合されるビス孔が変形したり、破損したりすることが確実に防止できるようになり、このビスが抜けてペダル１３、爪１４、ピン２０、スプリング２１及びペダルホルダー１９が床ノズル２から脱落することを確実に防止できるようになる。
【００３２】
第１ストッパ１１から爪１４が離脱すると、掃除機本体１は後方に傾斜できるようになり、又、爪１４はスプリング２１の力で突出部１６の周面の第１ストッパ１１と第２ストッパ１２との間に受け止められるようになる。
【００３３】
掃除機本体１を直立状態から約７５°後方に傾斜させると、図１４の側面図及び図１５の平面図に示すように、爪１４の第２受面２４が第２ストッパ１２の第２当接面１８に受け止められる。
【００３４】
後輪７を支えにして掃除機本体１を約７５°よりも大きく傾斜させると、図１６に示すように、第２ストッパ１２に爪１４が受け止められているので、床ノズル２の前部が床面から浮き上がる。
【００３５】
従って、例えばベットの下側などの清掃に備えて掃除機本体１を約７５°よりも大きく傾斜させ、回転ブラシ９を回転させたまま掃除機を床に置いた場合などに、回転ブラシ９が床面の一箇所を掃くことにより床面を傷着けることを防止できる。
【００３６】
このように、掃除機本体１を約７５°よりも大きく傾斜させた状態でペダル１３を踏み下げると、爪１４が第２ストッパ１２からその後方に離脱し、床ノズル２の前部が床面に下がる。従って、例えばベットの下側など掃除機を立てて使用できない所を清掃する時に、このように爪１４を第２ストッパ１２から離脱させると、掃除機本体１を床に寝かせた状態でも吸込口８を床面に近付け、回転ブラシ９を床面に接触させて清掃することができる。
【００３７】
上記の実施例では、例えば図１２に示すように、第１ストッパ１１の第１当接面１７と爪１４の第１受面２３とが共に背面から見て左上がりの傾斜面に形成されているが、要は、第１当接面１７と第１受面２３との少なくとも一方が、掃除機本体１を無理に後傾させようとする時に爪１４に作用する力に爪１４を掃除機本体１から離隔する方向の成分を生じさせるような傾斜面で構成してあればよいのである。
【００３８】
従って、第１受面２３を背面から見て左上がりの傾斜面で構成する場合には、第１当接面１７を掃除機本体１を直立させた時に背面から見て水平な面で構成してもよく、逆に第１当接面１７を掃除機本体１を直立させた時に背面から見て左上がりの傾斜面で構成する場合には、第１受面２３を背面から見て水平な面で構成してもよい。
【００３９】
しかし、上記の実施例のように、第１ストッパ１１の第１当接面１７と爪１４の第１受面２３とを共に背面から見て互いに対応する左上がりの傾斜面に形成する場合には、第１当接面１７と第１受面２３との接触面積を大きくすることができ、第１当接面１７と第１受面２３の摩耗の進行を抑制して耐久性を高めることができるので有利である。
【００４０】
もちろん、本発明において、第２ストッパ１２、第２当接面１８及び第２受面２４を省略することも可能であり、又、スタンド固定機構１０を左右反対勝手に設けることも可能である。
【００４１】
【発明の効果】
以上に説明したように、本発明は、掃除機本体を直立させた時に互いに当接するストッパの当接面と爪の受面との一方又は両方が、爪を掃除機本体から離隔する方向に滑らせるように傾斜した面で構成されるので、床ノズルを足で抑えて無理やり掃除機本体を直立状態から後方に傾斜させる時に、床ノズルの弾性変形によって爪及びこれを支持する床ノズルの部分が掃除機本体から左方向（或いは右方向）に離隔し、爪がストッパの左方向（或いは右方向）に離脱する。
【００４２】
その結果、爪が離脱するまでに爪を支持する床ノズルの部分に作用する力が小さくなるので、爪を支持する床ノズルの部分が変形したり、破損したりすることを防止でき、爪を支持する床ノズルの部分の変形や破損によるスタンド固定機構の機能喪失を防止できる。
【００４３】
本発明において、特に前記ペダルの操作により前記ストッパから爪を離脱させ、掃除機本体を後方に９０°よりも小さい所定の角度寝かせた時に、前記爪に係合される第２のストッパを掃除機本体下部の前記ストッパと同じ側の側面に突設する場合には、掃除機本体を水平あるいはその近くまで傾斜させた時に第２のストッパを爪に受け止めさせることにより、掃除機本体を水平に寝かした時に床ノズルの前部に設けた回転ブラシを床面から浮き上がらせることができる。従って、第２のストッパを爪に受け止めさせれば、掃除機本体を床に寝かして置いたまま回転ブラシを回転させても、回転ブラシが床面の一箇所に接して回転することはなく、回転ブラシの接触による床面の損傷を防止できる。
【００４４】
又、前記ペダルの操作により、第２のストッパから爪を離脱させれば、床ノズルの前部を自重で床面まで下ろすことができ、掃除機本体を床に寝かした掃除機を移動させることにより例えばベッドの下側などの高さの低い空間の床を掃除をすることができる。
【図面の簡単な説明】
【図１】本発明の一実施例の側面図である。
【図２】本発明の一実施例の底面図である。
【図３】本発明の一実施例の背面図である。
【図４】本発明の一実施例のスタンド固定機構を概略的に示す側面図である。
【図５】本発明の一実施例の本体ケースリアーの側面図である。
【図６】図５のＡ矢示部の背面図である。
【図７】本発明の一実施例のペダルの平面図である。
【図８】本発明の一実施例のペダルの背面図である。
【図９】本発明の一実施例のペダルの右側面図である。
【図１０】本発明の一実施例のペダルの左側面図である。
【図１１】本発明の一実施例のペダルの正面図である。
【図１２】本発明の原理図である。
【図１３】本発明の一実施例の背面図である。
【図１４】本発明の一実施例のスタンド固定機構を概略的に示す側面図である。
【図１５】本発明の一実施例のスタンド固定機構の平面図である。
【図１６】本発明の一実施例の側面図である。
【符号の説明】
１  掃除機本体
２  床ノズル
６  本体ケースリアー
１０  スタンド固定機構
１１  第１ストッパ
１２  第２ストッパ
１３  ペダル
１４  爪
１７  第１当接面
１８  第２当接面
２３  第１受面
【図１】
0003634413.tif 000002
【図２】
0003634413.tif 000003
【図３】
0003634413.tif 000004
【図４】
0003634413.tif 000005
【図５】
0003634413.tif 000006
【図６】
0003634413.tif 000007
【図７】
0003634413.tif 000008
【図８】
0003634413.tif 000009
【図９】
0003634413.tif 000010
【図１０】
0003634413.tif 000011
【図１１】
0003634413.tif 000012
【図１２】
0003634413.tif 000013
【図１３】
0003634413.tif 000014
【図１４】
0003634413.tif 000015
【図１５】
0003634413.tif 000016
【図１６】
0003634413.tif 000017